(57)【要約】【課題】省電力状態であっても外部装置との通信処理を実行可能な状態に維持し、少なくとも画像処理装置の状態を外部装置に通知可能とする画像処理装置を提供すること。【解決手段】ジョブを実行する複数の機能ブロック６〜９各々に対し、ＮＩＣ５に対する通電とは独立して通電するか否かを個別に切り替える通電切替回路１０を設け、ＮＩＣ５が、通電切替回路１０を制御することによって各機能ブロック６〜９の通電状態を制御し、ＮＩＣ５が、外部装置から各機能ブロックの通電状態に関する通電情報の通知の要求を受信した場合に、例えば、各機能ブロックの通電有無の状態や、ウィークリータイマ制御による次回停止予定時刻又は次回起動予定時刻等を含む通電情報を要求元（外部装置）の区分に応じて設定し、その通電情報を外部装置に通知する。【選択図】図４
2007281901.tif 000002
【特許請求の範囲】
【請求項１】
外部装置と通信を行う通信手段を備えた画像処理装置であって、
所定のジョブを実行する部品若しくは部品の集合であるジョブ実行部に対し、前記通信手段に対する通電とは独立して通電するか否かを切り替える通電切替手段と、
前記通電切替手段を制御することによって前記ジョブ実行部の通電状態を制御するジョブ実行部通電制御手段と、
前記通信手段により外部装置から前記ジョブ実行部の通電状態に関する通電情報の通知を要求する通電情報通知要求が受信された場合に、前記通電情報を前記通信手段を通じて外部装置に通知する通電情報通知手段と、を具備し、
前記通信手段が、前記ジョブ実行部通電制御手段及び前記通電情報通知手段を兼ね備えて構成されてなることを特徴とする画像処理装置。
【請求項２】
前記通信手段が、前記ジョブ実行部の通電制御に関する予め定められた時刻スケジュールに従って前記通電切替手段を制御することにより、前記ジョブ実行部の通電状態を制御するスケジュール制御手段を兼ね備え、
前記通電情報通知手段が、前記通電情報として前記スケジュール制御手段による前記ジョブ実行部の次回起動予定時刻又は次回停止予定時刻を通知する予定時刻通知手段を具備してなる請求項１に記載の画像処理装置。
【請求項３】
前記ジョブ実行部が、前記通電切替手段によって各々個別に通電するか否かの切り替えが可能に構成された部品若しくは部品の集合である複数の機能ブロックからなり、
前記通電情報通知手段が、複数の前記機能ブロック各々についての通電状態に関する前記通電情報を通知するものである請求項１又は２のいずれかに記載の画像処理装置。
【請求項４】
前記通信手段が、前記通電情報通知要求の送信元から該送信元を識別する送信元識別情報を取得し、該送信元識別情報に基づいて前記送信元の区分を特定する送信元区分特定手段を兼ね備え、
前記通電情報通知手段が、前記送信元区分特定手段により特定された前記送信元の区分に応じて前記通電情報の内容を設定してなる請求項１〜３のいずれかに記載の画像処理装置。
【請求項５】
前記通信手段が兼ね備える前記送信元区分特定手段が、該通信手段により通信可能な所定の送信元区分判別装置に対して前記送信元識別情報を送信するとともに、該送信元区分判別装置から返信される前記送信元の区分に関する情報を取得し、その取得情報に基づいて前記送信元の区分を特定してなる請求項４に記載の画像処理装置。
【発明の詳細な説明】
【技術分野】
【０００１】
本発明は、外部装置と通信を行う通信手段を備えた画像処理装置に関するものである。
【背景技術】
【０００２】
一般に、プリンタ、スキャナ、ファクシミリ装置、複写機或いはそれらの機能を兼ね備えた複合機等の画像処理装置は、ネットワークや電話回線等の通信媒体を介して外部装置（計算機や他の画像処理装置等）と通信を行う通信手段（ＮＩＣ(Network Interface Card)やモデム(Modulator-Demodulator)など）を備えている。また、このような画像処理装置は、通常の動作状態において所定のスリープ条件が満たされた場合に、通常の動作状態よりも消費電力が低い省電力状態（一般に、スリープモードという）へ移行する機能を備えるものがある。
前記スリープ条件には、例えば、当該画像処理装置が備える操作入力部に対する操作、及び前記通信手段を通じた外部装置からのデータ受信がない状態が一定時間以上継続したという条件が含まれる。その他、現在時刻が、予め定められた時刻スケジュール（例えば、週間スケジュール）に設定された時刻帯に入っているという条件が、前記スリープ条件に含まれる場合もある。
例えば、特許文献１には、予め定められた週間スケジュールに従って機器の電源をＯＮ／ＯＦＦするウィークリータイマー機能を備えたデジタル複合機が示されている。これにより、夜間や休日など、画像処理装置が使用される可能性が極めて低い時刻帯に画像処理装置を省電力状態へ自動的に移行させ、その他のときに画像処理装置を通常の稼働状態へ自動的に復帰させることができる。その結果、画像処理装置の省電力化が図れる。
一方、特許文献２には、装置全体を制御するメインＣＰＵに対する電源とサブＣＰＵに対する電源とを分け、メインＣＰＵに対する通電を停止した状態で、外部のパーソナルコンピュータからリード動作のみを行うアクセスがあった場合に、メインＣＰＵを起動させずに無応答を繰り返す複合機が示されている。
【特許文献１】特開２００５−１７２８６９号公報
【特許文献２】特開２００３−６３１０１号公報
【発明の開示】
【発明が解決しようとする課題】
【０００３】
しかしながら、特許文献２に示されるように、画像処理装置が、印刷ジョブなどの所定のジョブを実行する機器に通電がなされていない省電力状態において、外部装置からの何らかの要求に対して応答しないとすると、当該画像処理装置が故障であると利用者に錯覚させる恐れがあるという問題点があった。
従って、本発明は上記事情に鑑みてなされたものであり、その目的とするところは、省電力状態であっても外部装置との通信処理を実行可能な状態に維持し、少なくとも画像処理装置の状態を外部装置に通知可能とする画像処理装置を提供することにある。
【課題を解決するための手段】
【０００４】
上記目的を達成するために本発明は、外部装置と通信を行うＮＩＣなどの通信手段を備えた画像処理装置であって、以下の（１）〜（３）に示す各構成要素を備え、そのうち（２）及び（３）に示す構成要素については、前記通信手段が兼ね備える画像処理装置である。
（１）所定のジョブを実行する部品若しくは部品の集合であるジョブ実行部に対し、前記通信手段に対する通電とは独立して通電するか否かを切り替える通電切替手段。
（２）前記通電切替手段を制御することによって前記ジョブ実行部の通電状態を制御するジョブ実行部通電制御手段。
（３）前記通信手段により外部装置から前記ジョブ実行部の通電状態に関する通電情報の通知を要求する通電情報通知要求が受信された場合に、前記通電情報を前記通信手段を通じて外部装置に通知する通電情報通知手段。
このような構成を有する画像処理装置は、通信手段に対する通電とは独立して前記ジョブ実行部に対する通電制御が可能であり、前記ジョブ実行部に対して通電を行わない省電力状態であっても、通電手段が、外部装置からの要求に応じて、ジョブ実行部の通電状態に関する応答を行う。
【０００５】
ここで、前記通信手段が、前記ジョブ実行部の通電制御に関する予め定められた時刻スケジュールに従って前記通電切替手段を制御することにより、前記ジョブ実行部の通電状態を制御するスケジュール制御手段を兼ね備えることが考えられる。この場合、前記通電情報通知手段が、前記通電情報として前記スケジュール制御手段による前記ジョブ実行部の次回起動予定時刻又は次回停止予定時刻を通知する予定時刻通知手段を具備することが考えられる。
また、前記ジョブ実行部が、前記通電切替手段によって各々個別に通電するか否かの切り替えが可能に構成された部品若しくは部品の集合である複数の機能ブロックからなり、前記通電情報通知手段が、複数の前記機能ブロック各々についての通電状態に関する前記通電情報を通知するものが考えられる。
【０００６】
また、前記通信手段が、前記通電情報通知要求の送信元からその送信元を識別する送信元識別情報を取得し、その送信元識別情報に基づいて前記送信元の区分を特定する送信元区分特定手段を兼ね備え、さらに、前記通電情報通知手段が、前記送信元区分特定手段により特定された前記送信元の区分に応じて、前記通電情報の内容を設定することが考えられる。
このような構成を備えた画像処理装置は、前記送信元の区分に応じて外部装置に通知する前記通電情報の内容を変更することが可能である。
この場合、例えば、前記通信手段が兼ね備える前記送信元区分特定手段が、その通信手段により通信可能な所定の送信元区分判別装置に対して前記送信元識別情報を送信するとともに、その送信元区分判別装置から返信される前記送信元の区分に関する情報を取得し、その取得情報に基づいて前記送信元の区分を特定するものであることが考えられる。これにより、画像処理装置自体が前記送信元の区分を判別する機能を備える必要がなく、通信手段の構成を簡素化できる。
【発明の効果】
【０００７】
本発明に係る画像処理装置は、通信手段に対する通電とは独立して前記ジョブ実行部に対する通電制御が可能であり、印刷ジョブなどの所定のジョブを実行する前記ジョブ実行部に対して通電を行わない省電力状態であっても、通電手段が、外部装置からの要求に応じて、ジョブ実行部の通電状態に関する応答を行うことができる。その結果、画像処理装置の消費電力を極力低減できるとともに、当該画像処理装置が故障であると利用者に錯覚させることを防止できる。
また、前記通電情報通知手段が、前記通電情報として前記スケジュール制御手段による前記ジョブ実行部の次回起動予定時刻や次回停止予定時刻を通知する機能を備えることにより、利用者は、前記外部装置を通じて、当該画像処理装置の今後の稼動スケジュールを把握でき、利便性が高まる。
さらに、前記通電情報通知手段が、前記ジョブ実行部を構成する複数の前記機能ブロック各々に関する前記通電情報を通知するものであれば、本発明に係る画像処理装置は、必要最小限の前記機能ブロックのみに通電を行う省電力状態になることができるとともに、外部装置は、それら機能ブロック各々の通電状態を詳細に把握でき、利便性が高まる。
【発明を実施するための最良の形態】
【０００８】
以下添付図面を参照しながら、本発明の実施の形態について説明し、本発明の理解に供する。尚、以下の実施の形態は、本発明を具体化した一例であって、本発明の技術的範囲を限定する性格のものではない。
ここに、図１は本発明の実施形態に係る画像処理装置Ｘ及びそれを構成要素とする画像処理システムＺの概略構成を表すブロック図、図２は画像処理装置Ｘが備えるＮＩＣの概略構成を表すブロック図、図３は画像処理装置Ｘが備えるメイン制御部の概略構成を表すブロック図、図４は画像処理装置Ｘにおける電源の接続関係を表す電源系統図、図５は画像処理装置Ｘが備えるＮＩＣによる装置稼働状態通知処理の手順を表すフローチャート、図６は稼働状態通知要求の送信元の区分判別時に参照される送信元認証情報のデータ構成の一例を表す図、図７は画像処理装置ＸのＮＩＣが参照するジョブ種類・サブ電源対応テーブルのデータ構成の一例を表す図、図８は画像処理装置Ｘにおけるウィークリータイマ制御の週間スケジュールを模式的に表した図である。
【０００９】
まず、図１に示すブロック図を参照しつつ、本発明の実施形態に係る画像処理装置Ｘ及びそれを構成要素とする画像処理システムＺについて説明する。
画像処理システムＺは、画像処理装置Ｘとこれと通信可能な認証サーバ３１とを備えて構成されている。
画像処理装置Ｘは、ＬＡＮやＷＡＮ等により構成されるネットワークを通じて外部装置と通信を行うネットワークインターフェースカード５（以下、ＮＩＣと称する）を備えている。画像処理装置Ｘは、このＮＩＣ５を通じて、当該画像処理装置Ｘに対してプリント処理などの所定のジョブを送信する端末３２や、前記認証サーバ３１などの外部装置と通信を行う。
ここで、端末３２は、パーソナルコンピュータなどの計算機である。また、認証サーバ３１は、画像処理装置Ｘからの要求に応じて、後述する稼動状態通知要求の送信元（端末３２の利用者）の区分を判別する機能を備えた計算機（送信元権限判別装置の一例）である。ここで、送信元の区分は、送信元をその特性に応じて予め分類した複数のグループ（集合）のいずれに属するかを表すものである。本実施形態では、画像処理装置Ｘの状態を最も詳細に把握すべき者（メンテナンス作業者など）を表す区分Ａと、その次に、画像処理装置Ｘの状態を詳細に把握すべき者（管理者など）を表す区分Ｂと、一般ユーザを表す区分Ｃとが存在するものとする。
画像処理装置Ｘが備えるＮＩＣ５は、端末３２から当該画像処理装置Ｘの通電状態に関する情報（以下、通電情報という）の通知要求（稼動常態通知要求）を受けた場合に、通電情報を端末３２に通知する通電情報通知機能を備えている。
【００１０】
［画像処理装置Ｘ］
画像処理装置Ｘは、例えばＬＡＮやＷＡＮ等からなるネットワーク３０を介して、外部装置（端末３２や認証サーバ３１など）と通信可能に構成され、その通信を行う通信手段の一例としてＮＩＣ５を備えている。
画像処理装置Ｘは、図１に示すように、前記ＮＩＣ５に加え、操作・表示部２、ハードディスクドライブ３（以下、ＨＤＤと称する）、画像処理演算部４、スキャナ部６、プリント部７、ファクシミリ部８、メイン制御部９、通電切替回路１０、メイン電源２１、サブ電源２２等を備えている。
また、図１に示す例では、メイン制御部９、画像処理演算部４、ＮＩＣ５、スキャナ部６、プリント部７、ファクシミリ部８及び通電切替回路１０は、バス１１により相互に接続されている。
ここで、スキャナ部６、プリント部７、ファクシミリ部８及びメイン制御部９は、各々機能に応じて区分された部品若しくは部品の集合として構成された機能ブロックである。これら各機能ブロックは、印刷ジョブやファクシミリ送信ジョブなどの各種ジョブを実行するものである（ジョブ実行部の一例）。
例えば、ジョブには、画像データに基づいてファクシミリ送信を行うファクシミリ送信ジョブ、印刷データに基づいて印刷処理（画像形成処理）を行う印刷ジョブ、ＨＤＤ３に記憶されたデータファイルをＬＡＮ内の端末３２等に送信するファイル送信ジョブ、ＨＤＤ３に記憶された電子メールデータを不図示の電子メールサーバに対して送信する電子メール送信ジョブなどがある。
そして、メイン制御部９、ＨＤＤ３、画像処理演算部４及びファクシミリ部８によってファクシミリ送信ジョブを実行される。また、メイン制御部９、ＨＤＤ３、画像処理演算部４及びプリント部７によって印刷ジョブが実行される。また、メイン制御部９及びＨＤＤ３によってファイル送信ジョブや電子メール送信ジョブが実行される。
【００１１】
操作・表示部２は、情報を入力するための操作入力手段と、情報の表示手段とを備えるものである。その操作入力手段は、例えば、シートキーや液晶表示装置の表面に設けられたタッチパネル等から構成されるものである。また、その表示手段は、例えば、液晶表示装置やＬＥＤランプ等から構成されるものである。この操作・表示部２により、利用者に対するマンマシンインターフェースが構成されている。
ＨＤＤ３は、原稿から読み取った読取り画像データの処理や、画像データのプリント処理等の際に、必要に応じてその処理データを記憶する大容量の不揮発メモリである。さらに、このＨＤＤ３は、不図示の電子メールサーバから取得した電子メールデータの保存先としても用いられる。
画像処理演算部４は、専用の信号処理回路或いはＤＳＰ（Digital Signal Processor）等により構成され、画像データについて各種画像処理を行い、画像形成に用いる印刷データ（イメージデータや印刷ジョブ等）の生成や、端末３２へ送信する画像データ（例えば、ＪＰＥＧ形式等の所定の符号化がなされた画像データ等）の生成、画像データに暗号化を施す処理や、暗号化された画像データを復号化する処理、或いは画像データを圧縮符号化する処理や、圧縮符号化された画像データを伸張（復元）する処理等を行うものである。
【００１２】
スキャナ部６は、不図示のガラス製の原稿台上に載置された原稿や、不図示のＡＤＦにより搬送される原稿から、その原稿に形成された画像を読み取る機器、及びその機器を制御するＭＰＵ等の部品の集合である。
このスキャナ部６は、ＡＤＦの他、例えば、原稿の画像面に光を照射する光源及び原稿からの反射光を所定の方向へ反射するミラーが設けられ、原稿に沿って移動するよう構成された移動式光学ユニットと、その移動式光学ユニットを駆動するモータと、その移動式光学ユニットから出射される光を所定の経路に沿って導く固定式のミラー及びその光を集光するレンズと、そのレンズを通過した光を光電変換し、その光（即ち、原稿の画像面に反射した光）の光量に応じた電気信号を出力するＣＣＤ（Charge Coupled Device）等とを備えている。前記ＣＣＤから出力される電気信号は、画像データとして画像処理演算部４へ伝送される。
【００１３】
プリント部７は、不図示の給紙カセットに収容された記録紙を、１枚ずつ順次送り出し、所定の画像形成位置を経て排紙トレイまで搬送するものとともに、その画像形成位置において、スキャナ部６により原稿から読み取られた原稿の画像データや、画像処理演算部４により生成された印刷用の画像データ等に基づいて、記録紙に画像を形成（出力）する機器及びその機器を制御するＭＰＵ等の部品の集合である。
当該画像処理装置Ｘは、原稿の画像データに基づく画像形成処理を行うことによって複写機として機能し、端末３２から受信したプリント要求（印刷ジョブ）に基づく画像形成処理を行うことによってプリンタとして機能する。
このプリント部７は、例えば、像を担持する感光体ドラム、その感光体ドラムに対し帯電を行う帯電装置、与えられた画像データや印刷ジョブに基づく静電潜像を感光体ドラム表面に書き込む露光装置、その静電潜像をトナー像として現像する現像装置、感光体ドラム上のトナー像を記録紙に転写する転写装置、感光体ドラムや記録紙搬送用のローラを駆動するモータ等を備えている。
ファクシミリ部８は、ＮＣＵ（Network Control Unit）やモデム等により構成され、ダイヤルアップや通信相手（相手局）との間で通信方法を決定するネゴシエーション処理等を行い、電話回線を通じて他のファクシミリ装置とファクシミリデータの送受信を行うものである。
【００１４】
ＮＩＣ５は、例えば標準規格ＩＥＥＥ８０２．３に準拠したＬＡＮ及びインターネット等からなるネットワーク３０を通じて、認証サーバ３１や不図示の電子メールサーバなどの外部装置との間でデータの送受信を行う通信インターフェースである（通信手段の一例）。
メイン電源２１及びサブ電源２２は、当該画像処理装置Ｘの各構成要素に対して電力を供給する電源回路である。
通電切替回路１０は、ＮＩＣ５から受ける制御信号に従って、サブ電源２２を商用電源に接続するか否かを切り替えることにより、メイン制御部９、スキャナ部６、プリント部７及びファクシミリ部８などの機能ブロック各々に対して個別に通電を行うか否かを切り替えるスイッチ回路である（通電切替手段の一例）。この通電切替回路１０は、ＮＩＣ５に対する通電とは独立してメイン制御部９、スキャナ部６、プリント部７及びファクシミリ部８の各々に対して個別に通電するか否かを切り替え可能に構成されている。
【００１５】
メイン制御部９は、操作・表示部２、ＨＤＤ３及び画像処理演算部４の各々を制御するものであり、さらに、スキャナ部６、プリント部７及びファクシミリ部８が備えるＭＰＵが実行するデータ処理に必要な情報や、そのデータ処理によって得られる情報の授受を行うものである。
例えば、メイン制御部９は、プリント部７が備えるＭＰＵに対し、画像形成先となる記録紙のサイズや、出力画像の縮倍率や濃度補正値、カラー画像形成処理を行うかモノクロ画像形成処理を行うか等の情報を引き渡す一方、プリント部７が備えるＭＰＵからは、何枚目の記録紙への画像形成まで終了したかの情報や、プリント部７で発生したエラーの情報等を取得する。また、メイン制御部９は、ファクシミリ部８が備えるＭＰＵに対し、送信対象となる画像データ及び送信先の電話番号等の情報を引き渡す一方、ファクシミリ部８が備えるＭＰＵからは、ファクシミリ送信の際に発生したエラーの情報等を取得する。
さらに、メイン制御部９は、スキャナ部６が備えるＭＰＵに対し、原稿における画像読み取り範囲の情報等を引き渡す一方、スキャナ部７が備えるＭＰＵからは、ＡＤＦを用いて何枚目の原稿まで画像読み取りが終了したかの情報や、スキャナ部６によって読み取られた画像データ、ＡＤＦで発生したエラーの情報等を取得する。
その他、メイン制御部９は、ＮＩＣ５を通じて、ネットワーク３０を通じて通信可能な電子メールサーバ（不図示）に対し、その記憶部に記憶されている自装置宛の電子メールデータの送信を要求して取得する処理や、その電子メールサーバに対し、送信先の電子メールアドレスを設定した電子メールデータを送信する処理を実行する電子メール送受信機能も備えている。
【００１６】
次に、図２に示すブロック図を参照しつつ、画像処理装置Ｘが備えるＮＩＣ５の構成について説明する。
ＮＩＣ５は、バスコネクタ６１、バス制御部６２、ＭＰＵ６３、メモリ制御部６４、ＲＯＭ６５、フラッシュメモリ６６、ネットワーク制御部６７及びネットワークコネクタ６８等を備えている。
バスコネクタ６１は、バス１１に接続されるコネクタであり、バス制御部６２は、バス１１を通じて他の機器との間で信号伝送を行うものである。
ネットワークコネクタ６８は、ネットワーク３０に物理的に接続するコネクタであり、ネットワーク制御部６７は、例えば標準規格ＩＥＥＥ８０２．３及びＴＣＰ／ＩＰ等の所定のネットワークプロトコルに準拠した通信制御を行うものである。
ＭＰＵ６３は、ＲＯＭ６５に予め記憶されたプログラムを実行することにより、バス１１とネットワーク３０との間の信号伝送を中継する処理や、ネットワーク３０を介して端末３２から所定の処理が要求された場合に、これに応答する処理等、各種の処理を行う演算手段である。実行するプログラムは、ＭＰＵ６３が内蔵する不図示のＲＡＭに展開されて実行される。このＭＰＵ６３は、メモリ制御部６４を介して、ＲＯＭ６５やフラッシュメモリ６６に対するアクセスを行う。
また、ＮＩＣ５のＲＯＭ６５には、ＭＰＵ６３によって実行されるプログラム及びＭＰＵ６３によって参照されるデータが記憶されている。
一方、ＮＩＣ５のフラッシュメモリ６６には、ＭＰＵ６３が処理を実行する過程で格納及び参照するデータなどが記憶されている。
【００１７】
また、ＮＩＣ５のＭＰＵ６３は、一定周期で発振信号を発生させるクロック発振器６３ａを備える。さらに、ＮＩＣ５のＭＰＵ６３は、所定のタイミングでメイン制御部９から現在時刻を取得する。こうして取得した時刻を、以下、計時開始時刻という。そして、ＮＩＣ５のＭＰＵ６３は、クロック発振器６３ａの発振信号を積算することにより、メイン制御部９から前記計時開始時刻を取得した時点からの経過時間を計時し、その経過時間と前記計時開始時刻とに基づいて、現在の日時（現在時刻）を計時する。
ここで、ＮＩＣ５のＭＰＵ６３により計時される現在時刻は、ＮＩＣ５が通電無し状態になればリセットされる。従って、ＮＩＣ５のＭＰＵ６３は、メイン制御部９が"通電有り状態"であるときに、後述するメイン制御部９のカレンダー管理部７８からその時点の時刻（年月日、曜日、時刻を含む）を取得し、その時刻に基づく時刻校正処理を行う。
時刻校正処理は、例えば、メイン制御部９が"通電有り状態"であるときに、ＮＩＣ５のＭＰＵ６３が、定期的にメイン制御部９のカレンダー管理部７８からその時点の時刻を取得し、これを前記計時開始時刻とすることにより、クロック発振器６３ａのクロック信号に基づく時刻の計時を再開する処理である。これにより、ＮＩＣ５が計時する時刻が、カレンダー管理部７８の計時時刻に基づいて校正される。これ以後、ＮＩＣ５のＭＰＵ６３は、校正後の時刻を継続的に計時する。
【００１８】
次に、図３に示すブロック図を参照しつつ、画像処理装置Ｘが備えるメイン制御部９の構成について説明する。
メイン制御部９は、バスコネクタ７１、バス制御部７２、ＭＰＵ７３、メモリ制御部７４、ＲＯＭ７５、フラッシュメモリ７６、Ｉ／Ｏポート７７及びカレンダー管理部７８等を備えている。
ここで、バスコネクタ７１、バス制御部７２、メモリ制御部７４、ＲＯＭ７５及びフラッシュメモリ７６の各々は、ＮＩＣ５が備えるバスコネクタ６１、バス制御部６２、メモリ制御部６４、ＲＯＭ６５及びフラッシュメモリ６６と同様の機能を備えたものである。もちろん、ＲＯＭ７５及びフラッシュメモリ７６に記憶されるプログラムやデータの内容は、ＮＩＣ５のＲＯＭ６４及びフラッシュメモリ６６に記憶されているものと異なることはいうまでもない。
メイン制御部９は、ＭＰＵ７３によってＲＯＭ７５やフラッシュメモリ７６に記憶されたプログラムを実行することにより、各種画像処理に関する機器を制御する。
メイン制御部９のＩ／Ｏポート７７は、その制御対象となる機器に対して出力する制御信号を伝送する信号線や、メイン制御部９が各種センサから入力する各種検出信号を伝送する信号線が接続され、それら信号線とＭＰＵ７３との間を中継するインターフェースである。
例えば、メイン制御部９のＩ／Ｏポート７７には、操作・表示部２及びＨＤＤ３を構成する機器や、各種センサに通じる信号線が接続される。
【００１９】
また、メイン制御部９は、さらにカレンダー管理部７８を備えている。カレンダー管理部７８は、時刻を計時する時刻計時回路を備え、その時刻計時回路による計時時刻に基づいて、現在の年月日、曜日、時刻を検知するものである。このカレンダー管理部７８は、第１サブ電源２２１からの供給電力によって充電されるバッテリーを電源とし、その第１サブ電源２２１からの電力供給が遮断されても、そのバッテリーからの供給電力によって動作を継続する。
なお、図２及び図３には、ＭＰＵ６３、７３によってデータの書き込み及び読み出しが可能な不揮発性の記憶手段として、フラッシュメモリ６６、７６が設けられているが、このフラッシュメモリ６６、７６の代わりに、ＥＥＰＲＯＭ等の他の不揮発性記憶手段を採用することも考えられる。
【００２０】
次に、図４に示す電源系統図を参照しつつ、画像処理装置Ｘにおける各機能ブロックに対する電源の接続関係の一例について説明する。
なお、図４では、電源供給ラインを実線で表し、その他の信号伝送ラインを破線で表している。
図４に示す例では、画像処理装置Ｘは、４個のサブ電源２２を備えている。以下、それぞれ第１サブ電源２２１〜第４サブ電源２２４と称する。
前記メイン電源２１は、ＮＩＣ５及び通電切替回路１０に対して電力を供給する電源である。
このメイン電源２１は、当該画像処理装置Ｘ全体に対する根元の電力供給源となる商用電源５０に対し、手動操作に応じて電源供給ラインを導通させるか遮断するかを手動で切り替える手動切替スイッチ４０を介して接続されている。利用者がこの手動切替スイッチ４０の切り替え操作をすることにより、ＮＩＣ５及び通電切替回路１０に対して通電されるか否かが切り替えられる。従って、ＮＩＣ５及び通電切替回路１０は、当該画像処理装置Ｘが商用電源５０に接続されている状態では、利用者の操作によって手動切替スイッチ４０が導通状態から遮断状態に切り替えられない限り、常に通電された状態となる。また、手動切替スイッチ４０が遮断状態に切り替えられると、当該画像処理装置Ｘ全体が非通電状態（停止状態）となる。
【００２１】
一方、第１サブ電源２２１は、制御部９、ＨＤＤ３及び画像処理演算部４に対して電力を供給する電源回路である。
また、第２サブ電源２２２、第３サブ電源２２３、第４サブ電源２２４及び第５サブ電源２２５は、それぞれスキャナ部６、プリント部７、ファクシミリ部８及び操作・表示部２の各々に対して電力を供給する電源回路である。
また、第１サブ電源２２１〜第５サブ電源２２５各々は、商用電源５０に対し、前記手動切替スイッチ４０と、所定の制御信号に基づいて電源供給ラインを導通させるか遮断するかを切り替える自動切替スイッチ４１〜４５とを介して接続されている。なお、図４から明らかなように、自動切替スイッチ４１と第１サブ電源２２１、自動切替スイッチ４２と第２サブ電源２２２、自動切替スイッチ４３と第３サブ電源２２３、自動切替スイッチ４４と第４サブ電源２２４、自動切替スイッチ４５と第４サブ電源２２５が各々対応関係にある。
これにより、手動切替スイッチ４０が導通状態にされた上で、さらに自動切替スイッチ４１〜４５の各々が導通状態となって初めて、サブ電源２２１〜２２５各々が通電状態となる。
以下、電源供給ラインを導通させること及び遮断することを、各々ＯＮする及びＯＦＦするという。同様に、電源供給ラインが導通した状態のこと及び遮断した状態のことを、各々ＯＮ状態及びＯＦＦ状態という。
そして、自動切替スイッチ４１〜４５は、その各々がＯＮ状態となるかＯＦＦ状態となるかにより、各機能ブロック２、６〜９各々に対して個別に通電するか否かを切り替える通電切替手段として機能する。
これ以降、画像処理装置Ｘにおいて、ＮＩＣ５が通電有りの状態（手動切替スイッチ４０が導通状態）であり、機能ブロック２、６〜９のうちの１つ以上が通電無しである状態（自動切替スイッチ４１〜４５のうちの１つ以上がＯＦＦ状態）をスリープモードという。一方、ＮＩＣ５及び機能ブロック２、６〜９が通電有りである状態を稼働モードという。
【００２２】
図４に示すように、ＮＩＣ５は、通電切替回路１０を通じて全ての自動切替スイッチ４１〜４５のＯＮ／ＯＦＦを制御することにより、各機能ブロックに対する通電を個別に制御する。即ち、ＮＩＣ５は、各機能ブロック（ジョブ実行部の一例）に対する通電制御を実行する手段を兼ねている。
また、画像処理装置Ｘは、ユーザによる操作に応じてＯＮ／ＯＦＦ状態が切り替わる操作検知スイッチ１を備えている。この操作検知スイッチ１のＯＮ／ＯＦＦ状態は、通電切替回路１０により検知される。
この操作検知スイッチ１は、画像処理装置Ｘを、稼働モードにするかスリープモードにするかを切り替える通電スイッチとして機能するものである。
即ち、スリープモードであるときに操作検知スイッチ１がＯＮ状態に切り替えられると、通電切替回路１０は、全ての自動切替スイッチ４１〜４５をＯＮにし、画像処理装置Ｘを稼動モードへ移行させる。
一方、稼働モードであるときに操作検知スイッチ１がＯＦＦ状態に切り替えられると、通電切替回路１０は、何らかのジョブを処理中でない限り、全ての自動切替スイッチ４１〜４５をＯＦＦにし、画像処理装置Ｘをスリープモードへ移行させる。
【００２３】
本画像処理装置Ｘでは、各機能ブロックに対する通電がなされている場合に、ＮＩＣ５のＭＰＵ６３が、以下に示す２つの条件（以下、それぞれ第１のスリープ条件及び第２のスリープ条件という）の成否を判別する。そして、それらスリープ条件のいずれかが成立した場合に、ＮＩＣ５が通電切替回路１０を制御することにより、当該画像処理装置Ｘは、１以上の機能ブロックに対する通電が遮断された状態であるスリープモードに移行する。このスリープモードでは、５つの自動切替スイッチ４１〜４５の１つ以上が"ＯＦＦ状態"に切り替えられ、１つ以上の機能ブロックが"通電無し状態"となる。従って、全ての機能ブロックに対する通電が遮断されると、当該画像処理装置Ｘは、ＮＩＣ５を含むごく一部の機器（ＮＩＣ５及び通電切替回路１０）のみが"通電有り状態"となる。
なお、ＮＩＣ５のＭＰＵ６３は、スリープモードへ移行する際に、第１のスリープ条件と第２のスリープ条件とのいずれの条件が成立したのかを表すスリープモード移行理由情報を、ＮＩＣ５のフラッシュメモリ６６に記録する。
【００２４】
［第１のスリープ条件］
第１のスリープ条件は、現在の日時が、予め定められた１週間分の時刻スケジュール（以下、週間スケジュールという）において、スリープモードに設定されている時間帯に属しているという条件である。以下、予め定められた週間スケジュール（時刻スケジュールの一例）に従って自動切替スイッチ４１〜４５を制御することにより、機能ブロック各々の通電状態を制御することを、ウィークリータイマ制御という。このウィークリータイマ制御を実行するＮＩＣ５のＭＰＵ６３が、スケジュール制御手段の一例である。
図８は、ウィークリタイマ制御の週間スケジュールＷＳの内容を模式的に表したものである。図８中の各升目は、曜日（月曜日〜日曜日）及び時刻（００時台〜２３時台）によって規定される時間帯である。また、空欄の升目は、スリープモードに設定されている時間帯を表し、"＊"印が記されている升目は、各機能ブロックに通電がなされる稼働モードに設定されている時間帯を表す。この週間スケジュールＷＳは、第１サブ電源２２１〜第５サブ電源２２５それぞれについて予め設定される情報である。
ＮＩＣ５のＭＰＵ６３は、第１サブ電源２２１〜第５サブ電源２２５ごとの週間スケジュールＷＳの情報を、予めメイン制御部９から取得してフラッシュメモリ６６に予め記憶させておく。
さらに、ＮＩＣ５のＭＰＵ６３は、前述したクロック発振器６３ａを用いて計時した現在の時刻が、フラッシュメモリ６６に記憶された週間スケジュールＷＳにおいて、スリープモードと稼働モードのいずれに設定されている時間帯であるのかを判別する。そして、ＮＩＣ５のＭＰＵ６３は、その判別結果に応じて、通電切替回路１０を通じて自動切替スイッチ４１〜４５を制御することにより、各機能ブロック２、６〜９を個別に"通電有り状態"から"通電無し状態"へ切り替えたり（スリープモードへの移行）、"通電無し状態"から"通電有り状態"へ切り替えたり（稼働モードへの移行）する。
なお、メイン制御部９は、操作・表示部２を制御することにより、利用者が週間スケジュールＷＳの内容を設定可能とする週間スケジュール設定機能を備えている。この週間スケジュール設定機能により設定された週間スケジュールＷＳは、メイン制御部９からＮＩＣ５に伝送され、ＮＩＣ５のＭＰＵ６３がフラッシュメモリ６６に格納する。
【００２５】
［第２のスリープ条件］
第２のスリープ条件は、前記第１のスリープ条件が成立していない場合に、操作・表示部２を通じた操作入力がなく、かつ、ネットワーク３０を通じた外部装置からのデータ処理要求（印刷ジョブ等）の受信がない状態が、予め定められた時間以上継続するという条件である。
例えば、ＮＩＣ５が第２のスリープ条件の成否判別を行う場合、ＮＩＣ５のＭＰＵ６３は、メイン制御部９及びバス１１を介して、操作・表示部２に対する操作入力の有無を検知するとともに、ネットワーク制御部６７を介して、端末３２からのデータ受信の有無を検知する。
さらに、ＮＩＣ５のＭＰＵ６３は、クロック発振器６３ａの発振信号に基づいて時間を計時することにより、操作・表示部２を通じた操作入力がなく、かつ、ネットワーク３０を通じた端末３２からのデータ受信がない状態が、所定時間以上継続したことを検知する。そして、ＮＩＣ５のＭＰＵ６３は、その検知結果に応じて、通電切替回路１０を通じて自動切替スイッチ４１〜４５を制御することにより、各機能ブロック２、６〜９を"通電有り状態"から"通電無し状態"へ（稼動モードからスリープモードへ）切り替える。
【００２６】
次に、図５に示すフローチャートを参照しつつ、画像処理装置ＸのＮＩＣ５が実行する装置稼働状態通知処理の手順について説明する。図５に示す処理は、画像処理装置ＸのＮＩＣ５に対する通電が開始された後に実行される処理である。なお、以下に示すＳ１、Ｓ２、…は、処理手順（ステップ）の識別記号を表す。
［ステップＳ１、Ｓ２］
まず、ＮＩＣ５のＭＰＵ６３は、外部装置（ここでは、端末３２）から、機能ブロック２、６〜９の通電状態に関する情報（前記通電情報）の通知要求である稼働状態通知要求が受信されるかどうかを監視する（Ｓ１）。ここで、稼働状態通知要求には、所定の要求コマンドと、当該稼働状態通知要求の送信元を識別する情報である送信元識別情報が含まれる。即ち、ＮＩＣ５のＭＰＵ６３は、稼動状態通知要求を受信することにより、その送信元から送信元識別情報を取得する。ここでは、送信元識別情報は、送信元各々に固有の送信元ＩＤ及びパスワードであるとする。
そして、ＮＩＣ５のＭＰＵ６３は、端末３２から稼働状態通知要求が受信されたことを確認すると、端末３２から受信した送信元識別情報を、ネットワーク３０を通じて認証サーバ３１に送信するとともに、その認証サーバ３１から返信（応答）されてくる送信元の区分に関する情報を取得し、その取得情報に基づいて送信元の区分を特定する（Ｓ２）。
なお、ステップＳ１及びＳ２の処理を実行するＮＩＣ５のＭＰＵ６３が、送信元区分特定手段の一例である。
【００２７】
ここで、認証サーバ３１が実行する送信元の区分判別処理の一例を簡単に説明する。
図６は、認証サーバ３１（計算機）が備えるハードディスクドライブなどの記憶部に予め記憶される送信元認証情報Ｄ１１のデータ構成例を表す図である。
図６に示すように、送信元認証情報Ｄ１１は、送信元識別情報（送信元ＩＤ（ｄ１）及びパスワードｄ２）と、その送信元の区分ｄ３とが対応付けられた情報である。
認証サーバ３１は、画像処理装置Ｘから送信元識別情報（ｄ１、ｄ２）を受信すると、送信元認証情報Ｄ１１を参照することにより、受信した送信元識別情報ｄ１及びｄ２に対応する区分ｄ３を判別（特定）し、その区分ｄ３を画像処理装置Ｘに対して返信する。
また、画像処理装置Ｘから受信した送信元識別情報（ｄ１、ｄ２）が、送信元認証情報Ｄ１１に存在しない場合は、無権限である旨の情報を画像処理装置Ｘに対して返信する。
ここでは、送信元認証情報Ｄ１１に、送信元の区分ｄ３として、"Ａ"、"Ｂ"又は"Ｃ"のいずれの区分に属するかが設定されているものとする。
そして、ステップＳ２において、ＮＩＣ５のＭＰＵ６３は、認証サーバ３１から返信される区分（"Ａ"、"Ｂ"、"Ｃ"又は"無権限"）を、送信元の区分として特定する。
【００２８】
［ステップＳ３〜Ｓ８］
次に、ＮＩＣ５のＭＰＵ６３は、ステップＳ２で特定した送信元の区分が"Ａ"、"Ｂ"、"Ｃ"及び"無権限"のいずれであるかにより、処理を切り替える（Ｓ３、Ｓ５、Ｓ７）。
具体的には、ＮＩＣ５のＭＰＵ６３は、送信元の区分が"Ａ"区分である場合、全ての機能ブロック２〜４及び６〜９各々について、その時点の通電有無の状態（稼動中か停止中か）と、次回停止予定時刻若しくは次回の起動予定時刻とを含む前記通電情報を設定し、その通電情報を送信元の端末３２に対してネットワーク３０を通じて通知する（Ｓ４）。
また、ＮＩＣ５のＭＰＵ６３は、送信元の区分が"Ｂ"区分である場合、ジョブの種類ごとに、そのジョブの実行に必要な機能ブロックの通電有無の状態（稼動中か停止中か）と、そのジョブの実行に必要な機能ブロックの次回の停止予定時刻若しくは次回の起動予定時刻とを含む前記通電情報を設定し、その通電情報を送信元の端末３２に対してネットワーク３０を通じて通知する（Ｓ６）。
なお、このステップＳ４及びＳ６の処理を実行するＮＩＣ５のＭＰＵ６３が、通電情報としてウィークリータイマー制御（スケジュール制御手段の制御）によるジョブ実行部（機能ブロックの集合）の次回起動予定時刻又は次回停止予定時刻を通知する予定時刻通知手段の一例である。
また、ＮＩＣ５のＭＰＵ６３は、送信元の区分が"Ｃ"区分である場合、ジョブの種類ごとに、そのジョブの実行に必要な機能ブロックの通電有無の状態（稼動中か停止中か）を含む前記通電情報を設定し、その通電情報を送信元の端末３２に対してネットワーク３０を通じて通知する（Ｓ８）。
そして、ステップＳ４、Ｓ６又はＳ８の処理が終了すると、ＮＩＣ５のＭＰＵ６３は、処理を前述したステップＳ１へ戻す。
一方、ＮＩＣ５のＭＰＵ６３は、稼動状態通知要求の送信元の区分が"権限無し"（いずれの区分にも属さない）である場合、その送信元に対して無権限である旨を通知し（Ｓ９）、処理を前述したステップＳ１に戻す。
【００２９】
ここで、機能ブロックの次回の停止予定時刻とは、前記ウィークリータイマ制御によって稼動状態（"通電有り状態"）から停止状態（"通電無し状態"）に切り替えられる時刻（次回停止予定時刻）である。即ち、前記週間スケジュールＷＳでスリープモードに設定されている時刻のうち、ステップＳ４又はＳ６の処理の実行時点から最も近い将来の時刻である。
また、機能ブロックの次回の起動予定時刻とは、前記ウィークリータイマ制御によって停止状態（"通電無し状態"）から稼動状態（"通電有り状態"）に切り替えられる時刻（次回起動予定時刻）である。即ち、前記週間スケジュールＷＳで稼働モードに設定されている時刻のうち、ステップＳ４又はＳ６の処理の実行時点から最も近い将来の時刻である。ＮＩＣ５のＭＰＵ６３は、前記ＮＩＣ計時時刻（前記計時開始時刻を起点とするクロック発振器６３ａの発振信号の積算値を時刻に換算したもの）と、ＮＩＣ５のフラッシュメモリ６６に記憶された週間スケジュールＷＳとに基づいて、次回起停止予定時刻又は次回起動予定時刻を特定する。
【００３０】
続いて、ＮＩＣ５のＭＰＵ６３が、ステップＳ６及びＳ８において、ジョブの種類ごとに必要な機能ブロックの通電状態をどのようにして判別するかの一例について説明する。
図７は、ＮＩＣ５のＭＰＵ６３が参照するジョブ種類・サブ電源対応テーブルＤ１２のデータ構成の一例を表す図である。このジョブ種類・サブ電源対応テーブルＤ１２は、予めＮＩＣ５のフラッシュメモリ６６に記憶されている。
ジョブ種類・サブ電源対応テーブルＤ１２は、ジョブの種類ごとに、そのジョブを実行するためにいずれのサブ電源が通電ＯＮの状態である必要があるかを表す情報である。
図７に示すジョブ種類・サブ電源対応テーブルＤ１２は、ファクシミリ送信ジョブ（図中"ＦＸ"と表記）を実行するためには、第１サブ電源２２１及び第４サブ電源２２４が通電ＯＮの状態である必要があり、印刷ジョブ（図中"ＰＲ"と表記）を実行するためには、第１サブ電源２２１及び第３サブ電源２２３が通電ＯＮの状態である必要があり、前記ファイル送信ジョブ（図中"ＦＴ"と表記）や電子メールデータの送信ジョブ（図中"ＭＬ"と表記）を実行するためには、第１サブ電源２２１が通電ＯＮの状態である必要があることを表している。
従って、ＮＩＣ５のＭＰＵ６３は、ジョブの種類それぞれについて、ジョブ種類・サブ電源対応テーブルＤ１２において"ＯＮ"に設定されているサブ電源のすべてが通電ＯＮ状態である場合には、そのジョブの種類に対応する機能ブロックが稼動中（"通電有り状態"）であると判別し、そうでない場合には停止中（"通電無し状態"）であると判別する。
また、ＮＩＣ５のＭＰＵ６３は、ジョブの種類それぞれについて、ジョブ種類・サブ電源対応テーブルＤ１２において"ＯＮ"に設定されているサブ電源のうちの少なくとも１つが通電ＯＦＦ状態である場合、その全てが通電ＯＮ状態となる予定の時刻（週間スケジュールＷＳに基づく時刻）を、次回起動予定時刻として特定する。同様に、ＮＩＣ５のＭＰＵ６３は、ジョブの種類それぞれについて、ジョブ種類・サブ電源対応テーブルＤ１２において"ＯＮ"に設定されているサブ電源の全てが通電ＯＮ状態である場合、少なくともその１つが通電ＯＦＦ状態となる予定の時刻（週間スケジュールＷＳに基づく時刻）を、次回停止予定時刻として特定する。
【００３１】
以上に示したように、画像処理装置Ｘは、ＮＩＣ５に対する通電とは独立して各機能ブロック２、６〜９（ジョブ実行部）に対する通電制御が可能であるため、全ての機能ブロックが"通電無し状態"であっても、外部装置との通信処理を実行可能な状態に維持できる。
また、画像処理装置Ｘは、ＮＩＣ５により外部の端末３２から稼動状態通知要求（ジョブ実行部の通電状態に関する通電情報の通知を要求する通電情報通知要求の一例）が受信された場合（Ｓ１のＹ）に、対応する通電情報をＮＩＣ５のネットワーク制御部６７（通信手段の一部）を通じて端末３２（要求の送信元）に通知する（Ｓ４、Ｓ６及びＳ８：通電情報通知手段の一例）。
これにより、画像処理装置Ｘは、１つ以上の機能ブロックが"通電無し状態"である省電力状態であっても、画像処理装置Ｘが備える機能ブロックの通電状態を外部装置に通知することができる。その結果、画像処理装置Ｘの消費電力を極力低減できるとともに、当該画像処理装置Ｘが故障であると利用者に錯覚させることを防止できる。
その際、画像処理装置ＸのＮＩＣ５は、ステップＳ３〜Ｓ８の処理により、送信元の区分に応じて、その送信元の特性に対応した内容の通電情報を設定して通知する。具体的には、送信元の区分が、画像処理装置Ｘの状態を最も詳細に把握すべき者に相当する"Ａ"区分である場合、最も詳細な内容の前記通電情報を通知する。また、画像処理装置Ｘは、送信元の区分が、画像処理装置Ｘの状態を把握すべきレベルがより低い者に相当する区分になるにつれて、より簡素でわかりやすさを重視した前記通電情報を通知する。
また、ＮＩＣ５が、前記通電情報としてウィークリタイマー制御による各機能ブロックの次回起動予定時刻や次回停止予定時刻を通知する（Ｓ４、６）機能を備えることにより、利用者は、端末３２を通じて、当該画像処理装置Ｘの今後の稼動スケジュールを把握でき、利便性が高まる。
【００３２】
以上に示した実施形態では、画像処理装置ＸのＮＩＣ５は、そのＮＩＣ５により通信可能な認証サーバ３１に対して前記送信元識別情報を送信し、返信される前記送信元の区分の情報を取得することにより、前記送信元の区分を特定するものであった。
この他、前述した認証サーバ３１による送信元の区分判別処理を、ＮＩＣ５のＭＰＵ６３が行うよう構成してもよい。これにより、ＮＩＣ５のＭＰＵ６３の処理負荷が増えるものの、認証サーバ３１が不要になるメリットがある。
【産業上の利用可能性】
【００３３】
本発明は、画像処理装置への利用が可能である。
【図面の簡単な説明】
【００３４】
【図１】本発明の実施形態に係る画像処理装置Ｘ及びそれを構成要素とする画像処理システムＺの概略構成を表すブロック図。
【図２】画像処理装置Ｘが備えるＮＩＣの概略構成を表すブロック図。
【図３】画像処理装置Ｘが備えるメイン制御部の概略構成を表すブロック図。
【図４】画像処理装置Ｘにおける電源の接続関係を表す電源系統図。
【図５】画像処理装置Ｘが備えるＮＩＣによる装置稼働状態通知処理の手順を表すフローチャート。
【図６】稼働状態通知要求の送信元の区分判別時に参照される送信元認証情報のデータ構成の一例を表す図。
【図７】画像処理装置ＸのＮＩＣが参照するジョブ種類・サブ電源対応テーブルのデータ構成の一例を表す図。
【図８】画像処理装置Ｘにおけるウィークリータイマ制御の週間スケジュールを模式的に表した図。
【符号の説明】
【００３５】
Ｘ…画像処理装置
１…操作検知スイッチ
２…操作・表示部
３…ハードディスクドライブ
４…画像処理演算部
５…ネットワークインターフェースカード
６…スキャナ部
７…プリント部
８…ファクシミリ部
９…メイン制御部
１０…通電切替回路
１１…バス
２１…メイン電源
２２（２２１〜２２５）…サブ電源
３０…ネットワーク
３１…認証サーバ
４０…手動切替スイッチ
４１〜４５…自動切替スイッチ
６１、７１…バスコネクタ
６２、７２…バス制御部
６３、７３…ＭＰＵ（マイクロプロセッサユニット）
６３ａ…クロック発振器
６４、７４…メモリ制御部
６５、７５…ＲＯＭ
６６、７６…フラッシュメモリ
６７…ネットワーク制御部
６８…ネットワークコネクタ
７７…Ｉ／Ｏポート
７８…カレンダー管理部
Ｓ１、Ｓ２、〜…処理手順の識別記号
【図１】
2007281901.tif 000003
【図２】
2007281901.tif 000004
【図３】
2007281901.tif 000005
【図４】
2007281901.tif 000006
【図５】
2007281901.tif 000007
【図６】
2007281901.tif 000008
【図７】
2007281901.tif 000009
【図８】
2007281901.tif 000010